(57)【要約】多部分フォームは、切離し可能なリストバンド、ラベル、及び／またはカードを作成するように型抜きされた印刷可能なフェース層を含み、特に病院・患者環境に有用である。フェース層は、第１の主面及び第２の主面を含む。これらの主面の一方の少なくとも一部分に感圧接着剤が塗布されている。多部分フォームは、第１の部分、第２の部分、及び中間部分を含む。多部分フォームは更に、第１及び第２の主面を有するライナー層を含み、ライナー層の主面の一方の少なくとも一部分上にリリースコーティングが設けられている。ライナー層は、フェース層上の感圧接着剤に接着される。
2006511378.tif 000002
【特許請求の範囲】
【請求項１】
多部分フォームであって、
第１の主面、第２の主面、前記第１及び第２の主面の一方の少なくとも一部分上の感圧接着剤、第１及び第２の端及び第１及び第２の側を有する切離し可能なリストバンドを形成している第１の部分、一連の切離し可能なラベルを形成している第２の部分、及び前記第１及び第２の部分の間に配置されている中間部分を含む印刷可能なフェース層と、
前記フェース層の下側に位置し、第１及び第２の主面を含むライナー層と、
前記ライナー層の第１及び第２の主面の一方の少なくとも一部分上に設けられているリリースコーティングと、
を含み、それによって前記ライナー層は前記フェース層の感圧接着剤に接着されている、
ことを特徴とする多部分フォーム。
【請求項２】
前記フェース層の第１、第２、及び中間部分は、互いに他方から分離可能であることを特徴とする請求項１に記載の多部分フォーム。
【請求項３】
前記ライナー層は、第１、第２、及び中間部分を含み、前記ライナー層の第１の部分は前記フェース層の第１の部分に接着され、前記ライナー層の第２の部分は前記フェース層の第２の部分に接着され、前記ライナー層の中間部分は前記フェース層の中間部分に接着されていることを特徴とする請求項２に記載の多部分フォーム。
【請求項４】
前記フェース層の第１の部分はポリマーからなり、前記フェース層の第２の部分は紙からなることを特徴とする請求項２に記載の多部分フォーム。
【請求項５】
前記フェース層内に埋込まれていて、識別情報を担持している電磁チップを更に含むことを特徴とする請求項１に記載の多部分フォーム。
【請求項６】
前記フォームは、連続するフォームのウェブからなることを特徴とする請求項１に記載の多部分フォーム。
【請求項７】
前記連続するフォームのウェブは、複数のトラクタ送りピン孔を含むことを特徴とする請求項６に記載の多部分フォーム。
【請求項８】
前記フェース層の第１の部分は前記切離し可能なリストバンドを形成するように型抜きされ、前記フェース層の第２の部分は前記一連の切離し可能なラベルを形成するように型抜きされ、前記フェース層の中間部分は１またはそれ以上の取外し可能なカードを形成するように型抜きされていることを特徴とする請求項１に記載の多部分フォーム。
【請求項９】
前記ライナー層は、前記フェース層と同一の広がりを持つことを特徴とする請求項１に記載の多部分フォーム。
【請求項１０】
前記フェース層の第１の面は、その上に印刷されたしるしを含むことを特徴とする請求項９に記載の多部分フォーム。
【請求項１１】
前記フェース層の第１の部分の第２の面は、前記リストバンドの周縁の周りと前記リストバンドの少なくとも一方の端上とに感圧接着剤を含み、前記フェース層の第２の部分の第２の面は、前記一連のラベルを含む領域内に感圧接着剤を含むことを特徴とする請求項１０に記載の多部分フォーム。
【請求項１２】
前記感圧接着剤の少なくとも一部分は、前記フェース層の中間部分を前記ライナー層に直接接着することを特徴とする請求項９に記載の多部分フォーム。
【請求項１３】
多部分フォームであって、
第１の主面、第２の主面、前記第１及び第２の主面の一方の少なくとも一部分上の感圧接着剤、第１の部分、第２の部分、及び前記第１の部分と第２の部分との間に配置されている中間部分を含み、前記部分の何れか１つは第１及び第２の端及び第１及び第２の側を有する切離し可能なリストバンドを形成し、残余の２つの部分の何れか一方は一連の切離し可能なラベルを形成し、そして残余の部分は１またはそれ以上の取外し可能なカードを形成しており、前記第２及び中間部分を互いに他方から分離可能にしてある印刷可能なフェース層と、
前記フェース層と同一の広がりを持ち、第１及び第２の主面を有し、前記第１及び第２の主面の一方の少なくとも一部分上にリリースコーティングを含むライナー層と、
を含み、それによって前記ライナー層は前記感圧接着剤に接着されている、
ことを特徴とする多部分フォーム。
【請求項１４】
前記ライナー層は、第１、第２、及び中間部分を含み、前記ライナー層の第１の部分は前記フェース層の第１の部分に接着され、前記ライナー層の第２の部分は前記フェース層の第２の部分に接着され、そして前記ライナー層の中間部分は前記フェース層の中間部分に接着されていることを特徴とする請求項１３に記載の多部分フォーム。
【請求項１５】
前記フェース層の第１の部分はポリマーからなり、前記フェース層の第２の部分は紙からなることを特徴とする請求項１３に記載の多部分フォーム。
【請求項１６】
前記フェース層内に埋込まれ、識別情報を担持している電磁チップを更に含むことを特徴とする請求項１３に記載の多部分フォーム。
【請求項１７】
前記フォームは連続するフォームのウェブからなり、前記連続するフォームのウェブは複数のトラクタ送りピン孔を含むことを特徴とする請求項１３に記載の多部分フォーム。
【請求項１８】
前記フェース層の第１の部分は前記切離し可能なリストバンドを形成するように型抜きされ、前記フェース層の第２の部分は前記一連の切離し可能なラベルを形成するように型抜きされ、前記フェース層の中間部分は１またはそれ以上の取外し可能なカードを形成するように型抜きされていることを特徴とする請求項１３に記載の多部分フォーム。
【請求項１９】
多部分フォームであって、
第１の主面、第２の主面、前記第１及び第２の主面の一方の少なくとも一部分上の感圧接着剤、第１の部分、第２の部分、及び前記第１の部分と第２の部分との間に配置されている中間部分を含み、前記部分の何れか１つは第１及び第２の端及び第１及び第２の側を有する切離し可能なリストバンドを形成し、残余の２つの部分の何れか一方は一連の切離し可能なラベルを形成し、残余の部分は１またはそれ以上の取外し可能なカードを形成している印刷可能なフェース層と、
前記フェース層と同一の広がりを持ち、第１及び第２の主面を有し、前記第１及び第２の主面の一方の少なくとも一部分上にリリースコーティングを含むライナー層と、
を含み、それによって前記ライナー層は前記感圧接着剤に接着され、
前記フェース層内に埋込まれ、識別情報を担持している電磁チップ、
を更に含むことを特徴とする多部分フォーム。
【請求項２０】
前記フォームは連続するフォームのウェブからなり、前記連続するフォームのウェブは複数のトラクタ送りピン孔を含むことを特徴とする請求項１９に記載の多部分フォーム。
【請求項２１】
前記フェース層の第１、第２、及び中間部分は互いに他方から分離可能であり、前記ライナー層は第１、第２及び中間部分を含み、前記ライナー層の第１の部分は前記フェース層の第１の部分に接着され、前記ライナー層の第２の部分は前記フェース層の第２の部分に接着され、前記ライナー層の中間部分は前記フェース層の中間部分に接着されており、前記フェース層の第１の部分は前記切離し可能なリストバンドを形成するように型抜きされ、前記フェース層の第２の部分は前記一連の切離し可能なラベルを形成するように型抜きされ、前記フェース層の中間部分は１またはそれ以上の取外し可能なカードを形成するように型抜きされていることを特徴とする請求項１９に記載の多部分フォーム。
【請求項２２】
前記フェース層の第１の部分はポリマーからなり、前記フェース層の第２の部分は紙からなることを特徴とする請求項１９に記載の多部分フォーム。
【請求項２３】
前記感圧接着剤の少なくとも一部分は、前記フェース層の中間部分を前記ライナー層に直接接着することを特徴とする請求項１９に記載の多部分フォーム。
【発明の詳細な説明】
【技術分野】
【０００１】
本発明は、印刷可能なフォーム（もしくは、書式）に関する。より特定的には、本発明は、プリンタを１回通すだけで情報を印刷することができる複数の切離し可能なラベル、カード、タグ等を伴う切離し可能なリストバンドを有する多部分フォームに関する。
【背景技術】
【０００２】
病院環境においては、個々の患者を識別するために識別用腕輪（ブレスレット）が広く使用されている。患者名及び室番号を含むことができる識別用腕輪は、一般に患者が入院中に彼または彼女の手首に取付けられる。これは患者を識別するために有用ではあるが、幾つかの病院及び診療所においては、患者と、患者の試験結果、試料、処方、請求書、新生児等とを相関させる問題に遭遇している。これらの日常業務を処理する際の誤記によって誤った薬品を投与したり、または新生児を取り違えたりしかねない。
【０００３】
患者と、試験結果、試料、処方等に関する情報との相関を改善する多くの試みがなされてきた。例えば、Fallaの米国特許第4,122,947号は、リストバンド、試料容器、及び患者の記録に取付けるためのラベル（これらには全て同一の患者情報が与えられる）を含む事前にパッケージされた患者識別キットを提唱している。しかしながら、１またはそれ以上の試料容器またはラベルが必要になることがあり、事前に識別された試料容器を識別キットに追加することは、このようなキットのコストを増加させ得る。別の例としてHuddlestonらの米国特許第5,653,472号は、切離し可能なリストバンド及びラベルを有するフォームを提唱している。上述したような方法は種々の目的のために患者を識別する手段を提供するが、これらの方法は、１またはそれ以上の資料からなる種々の患者「しるし」を作成するためには、２つ以上の異なる型の識別要素が存在しておらず、及び／または、印刷可能な多部分フォームを使用する上でエンドユーザの融通性を制限する。
【発明の開示】
【発明が解決しようとする課題】
【０００４】
従って、同一の及び／または重複する情報を含み、如何なる所望の品質にも及び／または必要に応じて製造可能な、多重識別要素を供給できる低コスト識別媒体に対する要望が存在している。
【課題を解決するための手段】
【０００５】
本発明は、フォーム内のミシン目によって分離することができるラベル、同類のタグ、及びリストバンドを有する印刷可能な多部分フォームに関する。本発明を実現する多部分フォームは、一般的に、少なくとも３つの別個の部分を有する印刷可能なフェース層（プライ）と、この印刷可能なフェース層の下に位置するライナー層とを含む。フェース層の主面の少なくとも一部分には感圧接着剤が塗布され、同様に、ライナー層の主面の少なくとも一部分にはリリースコーティングが設けられており、それによってライナー層はフェース層の感圧接着剤に接着される。
【０００６】
例示のための一実施の形態においては、印刷可能なフェース層は、第１の主面と、第２の主面と、第１及び第２の主面の一方の少なくとも一部分に塗布された感圧接着剤とを含む。フェース層の第１の部分は、第１及び第２の端と、第１及び第２の側とを有する切離し可能なリストバンドを形成している。フェース層の第２の部分は一連の切離し可能なラベルを形成しており、１またはそれ以上の取外し可能なカードを形成している中間部分がフェース層の第１の部分と第２の部分との間に配置されている。フェース層は、ポリマー及び紙のような異なる型の材料からなることができる。更に、フェース層の第１の面は、その上に印刷されたしるしを含むようになっている。
【０００７】
ライナー層はフェース層の下側に位置し、第１及び第２の主面を含む。ライナー層の第１及び第２の主面の一方の少なくとも一部分にはリリースコーティングが設けられ、それによってライナー層はフェース層の感圧接着剤に接着される。
【０００８】
フェース層の第１、第２、及び中間部分は、互いに他から分離可能である。因みに、ライナー層は、第１、第２、及び中間部分を含み、ライナー層の第１の部分はフェース層の第１の部分に接着され、ライナー層の第２の部分はフェース層の第２の部分に接着され、そしてライナー層の中間部分はフェース層の中間部分に接着されている。ライナー層は、典型的にはフェース層と同一の広がりを持つ。
【０００９】
フェース層の第１の部分は、切離し可能なリストバンドを形成するように型抜き（ダイカット）されている。同様に、フェース層の第２の部分は一連の切離し可能なラベルを形成するように型抜きされ、そしてフェース層の中間部分は１またはそれ以上の取外し可能なカードを形成するように型抜きされている。
【００１０】
フェース層の第１の部分の第２の面は、リストバンドの外縁の周りと、リストバンドの少なくとも一方の端とに感圧接着剤を含む。フェース層の第１の部分の第２の面は、一連のラベルを含む領域内に感圧接着剤を含む。一実施の形態においては、感圧接着剤の少なくとも一部分は、フェース層の中間部分をライナー層に直接接着する。
【００１１】
多部分フォームは、複数のトラクタ送りピン孔を含むことも、または含まないこともできる連続するフォームのウェブを含むように構成することもできる。
【００１２】
本発明の更に別の実施の形態においては、情報を担持するための電磁チップがフェース層内に埋込まれている。電磁チップは、多部分フォームに高度の識別能力を与えるためのコンピュータチップまたは無線周波数識別（ＲＦＩＤ）チップの形状であることができる。勿論、このようなチップを多部分フォームのラベルまたは他の要素内に同じように埋込むことができる。
【００１３】
本発明の他の特色及び長所は、本発明の原理を例示している添付図面に基づく以下の詳細な説明からより明白になるであろう。
【発明を実施するための最良の形態】
【００１４】
図１及び２に示すように、多部分フォーム２０は第１の部分２２を含み、第１の部分２２は第１の端２６と、第２の端２８と、第１の側３０と、第２の側３２とを有する切離し可能なリストバンド２４を形成するように型抜きされている。フォーム２０は更に、一連の切離し可能なラベル３６を形成するように型抜きされている第２の部分３４と、第１の部分２２と第２の部分３４との間に配置されている中間部分３８とを含む。中間部分３８は型抜きされていて、型抜きされたミシン目に沿ってフォーム２０から分離されるパンチアウトカードのような１またはそれ以上の取外し可能なカード４０を形成するようになっている。カード４０は、ビジネスカード、識別カード、タグ等として使用することができる。もしカード４０をタグとして使用するのであれば、例えば、患者の身体部分にタグを取付けるために使用することができる孔を形成するように、カード４０内に円形形状のミシン目を型抜きすることができる。各部分２２、３４、３８はフォーム２０内のミシン目によって他の部分から分離されており、各部分２２、３４、３８を他の部分から切離すことができる。ラベル３６及びカード４０の形状は矩形であることができるが、円形、方形、三角形、または何等かの多角形であることもできる。
【００１５】
リストバンド２４、ラベル３６、及びカード４０には、各部分２２、３４、３８におけるものと同一のしるしを印刷することができる（即ち、第１の部分２２に印刷されているしるしが第２の部分３４に印刷されているしるし、及び／または中間部分３８に印刷されているしるしに対応する）。この同一情報は、病院名、病院科名（例えば、産科、腫瘍科等）のような‘不変’情報（即ち、ラベル毎に、または患者毎に変化しない情報）を含むことができる。この情報は更に、患者名、血液型、病院から割当てられた患者番号（数字またはバーコード形状）等のような‘可変’情報（即ち、個人に独自の、且つラベル毎に変化する情報）を含むことができる。代替として、リストバンド２４、ラベル３６、及びカード４０には、部分毎に異なるしるしを印刷することができる。例えば、第１の部分２２、第２の部分３４、及び中間部分３８には、それぞれ、患者情報の異なるセットまたはサブセットを印刷することができるが、患者情報を識別するために少なくとも１つの共通片が印刷される。この例においては、リストバンド２４は、バーコードで印刷された患者名、血液型、及び患者識別番号を含むことができ、一方切離し可能なラベル３６またはカード４０は、患者識別番号に対応するバーコードだけを含むことができる。病院職員は患者記録を格納しているスタンドアローンコンピュータ、または患者情報を格納している病院のメインフレームと通信するワークステーション、ワイヤレスデバイス、セルラー電話機、または他の類似デバイスに取付けられたバーコードリーダーを用いてバーコードを走査することによって全ての患者情報にアクセスすることができる。別の代替においてはリストバンド２４、ラベル３６、及びカード４０には、完全に異なる患者識別情報を印刷することができる（例えば、リストバンド２４は患者名だけを含み、ラベル３６はバーコード形状で患者の患者番号だけを含み、そしてカード４０は数値形状で患者の患者番号だけを含む）。リストバンド２４、ラベル３６、及びカード４０に印刷された患者識別情報は特定の患者の個々の必要性に応じて調整することができる。
【００１６】
図２、３、及び４に示すように、フォーム２０は更に、第１の面４２ａ及び第２の面４２ｂを有する印刷可能なフェース層４２と、第１の面４４ａ及び第２の面４４ｂを有するライナー層４４とを含む。フェース層４２を構成している材料は、各部分２２、３４、３８毎に変えることも、またはフェース層４２全体を同一の材料で作ることもできる。例えば、第１の部分２２のフェース層４２は、中間部分３８のフェース層４２とは異なる材料からなることができ、一方第２の部分３４のフェース層４２は、中間部分３８のフェース層４２と同一の材料からなることができる。紙、紙状材料、ポリエステル、ポリマー等を含む種々の材料を使用することができるが、これらに限定するものではない。数日ではないにしても数時間の間摩耗に耐えるようにリストバンド２４を十分強くするために、リストバンド２４には耐久性の材料を使用することが望ましい。
【００１７】
フェース層４２は、フェース層４２の第２の面４２ｂの一部分に含まれる感圧接着剤４６によってライナー層４４に接着される。ライナー層４４は、一般的に、フェース層４２の第２の面４２ｂと対面している第１の面４４ａ上にリリースコーティング４８を含む。リリースコーティング４８によって、フェース層４２をライナー層４４から容易に剥がすことができる。リリースコーティング４８は、シリコンコーティングの形であることができる。しかしながら、図６に示すように、中間部分３８に対応するライナー層４４の部分は、リリースコーティング４８でカバーされていない。中間部分３８内にカード４０を形成している型抜きミシン目は、フェース層４２及びライナー層４４の両方を通って伸びている。
【００１８】
フォーム２０は、単一のシートとして構成することができる。これによって、プリンタを１回通すだけでバーコード（これに限定するものではない）を含む相関しるしを有するフォーム２０の要素を印刷することができる。フェース層４２は、衝撃式プリンタ、イオン堆積プリンタ、インクジェットプリンタ、レーザープリンタ、直接感熱式プリンタ、及び熱転写プリンタを含む種々の異なる自動化印刷デバイスを使用して印刷することができる。もし直接感熱式プリンタを使用するのであれば、フォーム２０のフェース層４２上にイメージングコーティングを設けなければならない。代替実施の形態においては、フォーム２０は、同時に印刷される複数の同一平面をなしているシートの１つのシートとして印刷することができる。
【００１９】
リストバンド２４はフォーム２０から切離すことができ、図５には２枚のラベル３６がライナー層４４の部分から部分的に剥がされている様も示されている。１枚のカード４０がフォーム２０から部分的に切離されている様も示されている。切離されたカード４０はフェース層４２及びライナー層４４の両方を含んでいる。この実施の形態においては、切離し可能なラベル３６は、４行４列からなっている。中間部分３８内のカード４０のサイズは変化させることができる。例えば、本発明のこの実施の形態においては、小さい６枚の矩形カードと、大きい１枚の矩形カードとが存在している。
【００２０】
図２−６は、リリースコーティング４８を含むライナー層４４の第１の面４４ａの一部分を示している。例えば、リリースコーティング４８は第１の部分２２内に、及び第２の部分３４内に含まれ、リストバンド２４及び切離し可能ラベル３６を解放できるようにしている。リリースコーティング４８は、全面にコーティングすることも、または図６に示すようにパターンコーティングすることもできる。もし、中間部分３８内のカード４０のような領域が存在するのであれば、リリースコーティング４８は不要であろう。
【００２１】
図２及び７に示すように、フェース層４２の第２の面４２ｂの部分は、感圧接着剤４６を含む。この実施の形態に示すように、感圧接着剤４６は、第１の部分２２内のリストバンド２４の縁の周囲に、即ち側３０、３２の外側と、及びリストバンド２４の第１の端２６上とに含まれている。第２の部分３４においては、感圧接着剤４６は切離し可能なラベル３６を含む領域内に含まれている。感圧接着剤４６は、図７に示すようにパターンコーティングすることも、または全面にコーティングすることもでき、その場合、中間部分３８の感圧接着剤４６はカード４０を含む領域内に含まれる。
【００２２】
図８は、リストバンド２４がライナー層４４から剥がされてユーザの手首（明瞭化のために図示せず）に巻かれている状態を示している。第１の端２６は、重なり位置において第１の端２６が第２の端２８に重なるようにリストバンド２４に巻き付けられる。第１の端２６は、リストバンド２４の端２６上の感圧接着剤４６によってリストバンド２４の主ボディに確保される。リストバンド２４が再使用されないようにするために、型抜きされた不正操作防止パターン９８が第１の端２６上に配置されている。ユーザがリストバンド２４を取外そうとすると、端２６がパターン９８の型抜き目に沿って裂け、リストバンド２４は再使用に適さないようになる（リストバンドを誰がチェックしても、リストバンド２４が不正に操作されたことが一目瞭然になるからである）。
【００２３】
図９に示す代替フォーム５０の実施の形態は、第１の端５６、第２の端５８、第１の側６０、及び第２の側６２を有する切離し可能なリストバンド５４を形成するように型抜きされている第１の部分５２を含む。フォーム５０は更に、一連の切離し可能なラベル６６を形成するように型抜きされている第２の部分６４、及び第１の部分５２と第２の部分６４との間に配置されている中間部分６８を含む。中間部分６８は、１またはそれ以上の取外し可能なカード７０を形成するように型抜きされている。カード７０は、ビジネスカード、識別カード、タグ等として使用することができる。もしカード７０をタグとして使用するのであれば、例えば患者の身体部分にタグを取り付けるための孔を形成させるようにカード７０内に円形のミシン目を型抜きすることができる。各部分５２、６４、６８は、各部分５２、６４、６８を他の部分から切離すことができるように、フォーム５０内のミシン目によって他の部分から分離することができる。
【００２４】
リストバンド５４、ラベル６６、及びカード７０には、各部分５２、６４、６８におけるものと同一のしるしを印刷することができる（即ち、第１の部分５２に印刷されているしるしは第２の部分６４に印刷されているしるし、及び／または中間部分６８に印刷されているしるしに対応する）。前述したように、この同一情報は、‘可変’及び‘不変’情報を含むことができる。同様に、前述したように、フォーム５０に印刷されているしるしは部分毎に異なることができる。
【００２５】
図１０−１２に示すように、フォーム５０は更に、第１の面７２ａ及び第２の面７２ｂを有する印刷可能なフェース層７２、及び第１の面７４ａ及び第２の面７４ｂを有するライナー層７４を含んでいる。フェース層７２を構成している材料は各部分５２、６４、６８毎に変えることも、またはフェース層７２全体を同一の材料で作ることもできる。例えば、第１の部分５２のフェース層７２は、中間部分６８のフェース層７２とは異なる材料からなることができ、一方第２の部分６４のフェース層７２は、中間部分６８のフェース層７２と同一の材料からなることができる。紙、紙状材料、ポリエステル、ポリマー等を含むいろいろな材料を使用することができるが、これらに限定するものではない。数日ではないにしても数時間の間摩耗に耐えるようにリストバンド５４を十分強くするために、リストバンド５４には耐久性の材料を使用することが望ましい。
【００２６】
フェース層７２は、フェース層７２の第２の面７２ｂの一部分に含まれる感圧接着剤７６によってライナー層７４に接着される。ライナー層７４は、一般的に、フェース層７２の第２の面７２ｂと対面している第１の面７４ａ上にリリースコーティング７８を含む。リリースコーティング７８によって、フェース層７２をライナー層７４から容易に剥がすことができる。リリースコーティング７８は、シリコンコーティングの形状であることができる。しかしながら、図１４に示すように、中間部分６８に対応するライナー層７４の部分は、リリースコーティング７８でカバーされていない。中間部分６８内にカード７０を形成している型抜きミシン目は、フェース層７２及びライナー層７４の両方を通って伸びている。
【００２７】
フォーム５０は、単一のシートとして構成することができる。これによって、プリンタを１回通すだけでバーコード（これに限定するものではない）を含む相関しるしを有するフォーム５０の要素を印刷することができる。フェース層７２は、インパクトプリンタ、イオン堆積プリンタ、インクジェットプリンタ、レーザープリンタ、直接感熱式プリンタ、及び熱転写プリンタを含むさまざまな異なる自動化印刷デバイスを使用して印刷することができる。もし直接感熱式プリンタを使用するのであれば、フォーム５０のフェース層７２上にイメージングコーティングを設けなければならない。代替実施の形態においては、フォーム５０は、同時に印刷される複数の同一平面をなすシートの１つのシートとして印刷することができる。
【００２８】
リストバンド５４はフォーム５０から切離すことができ、図１３には２枚のラベル６６がライナー層７４の部分から部分的に剥がされている様が示されている。１枚のカード７０がフォーム５０から部分的に切離されている様も示されている。切離されたカード７０は、フェース層７２及びライナー層７４の両方を含んでいる。この実施の形態においては切離し可能なラベル６６は、５行４列からなっている。中間部分６８内のカード７０のサイズは変化させることができる。例えば、本発明のこの実施の形態においては、２枚の矩形カードが存在しており、一方のカード４０の上側８１及び下側８２は、中間部分６８と第１及び第２の部分５２、６４との間の型抜きミシン目によって限定されている。
【００２９】
図１０−１３は、リリースコーティング７８を含むライナー層７４の第１の面７４ａの一部分を示している。例えば、リリースコーティング７８は、第１の部分５２内に、及び第２の部分３４内に含まれ、リストバンド５４及び切離し可能ラベル６６を解放できるようにしている。リリースコーティング７８は、全面にコーティングすることも、または図１４に示すようにパターンコーティングすることもできる。もし、中間部分６８内のカード７０のような領域が存在するのであれば、リリースコーティング７８は不要であろう。
【００３０】
図１０−１３及び１５に示すように、フェース層７２の第２の面７２ｂの部分は、感圧接着剤７６を含む。この実施の形態に示すように、感圧接着剤７６は、第１の部分５２内のリストバンド２４の縁の周囲に、即ち側６０、６２の外側に、及びリストバンド２４の第１の端６６上に含まれている。第２の部分６４においては、感圧接着剤７６は切離し可能なラベル６６を含む領域内に含まれている。感圧接着剤７６は、図１５に示すようにパターンコーティングすることも、または全面コーティングすることもでき、その場合、中間部分６８の感圧接着剤７６はカード７０を含む領域内に含まれるか、または全面コーティングされる。
【００３１】
代替実施の形態においては、フォーム２０、５０上のリストバンド２４、５４、カード７０、及びラベル３６、６６の配列は、それらのサイズ、形状、数、色等を変化させることができる。例えば、フォームは、付加的なリストバンド、より多数のラベル、タグ、及び／またはカードを含むことも、またはより少数のラベル、タグ、及び／またはカードを含むこともできる。
【００３２】
図１６に示すように、本発明は、連続するフォーム９０として作ることができる。詳述すれば、フォーム９０は、各フォームの間に設けられた、即ち各フォームの上側及び／または下側に設けられた型抜きミシン目（即ち、切取り線）９２に沿って端と端とが切離し可能なように接続されている。一連のフォーム９０が、ジグザグ状にスタックされている。この連続フォームは、リストバンド２４、５４、並びにカード４０、７０、及びラベル３６、６６上に同時にしるしを追加するために、１回だけプリンタを通して送給することができる。代替実施の形態においては、連続フォーム９０は、ピン送り突起を含むプリンタに使用するために、各フォームの両側に標準垂直パーフォレーション（即ち、トラクタ送りピン孔）９４を有するように作ることができる。
【００３３】
より高度の識別能力を与えるように、コンピュータチップまたはＲＦＩＤの形状の情報担持電磁チップ９６をリストバンド２４、５４、ラベル３６、６６、及び他の要素４０、７０内に埋込むことができる。チップを‘読取る’ためには、リーダー（図示せず）を使用する。例えば、2.54ＧＨｚで無線アクセス可能であり、128ビットまでのデータを格納することができ、0.4ｍｍ平方のサイズであり、紙内に埋込むのに十分に薄い日立製ミューチップを含むどのような市販のチップを使用しても差し支えない。
【００３４】
使用を説明しよう。患者は病院にチェックインし、患者名、健康保険取扱機関、血液型、年齢等のような標準情報を病院に告げる。この情報は、その患者の病院カルテを作成するために、及びその情報の記録をコンピュータ化するために使用される。次いで、病院は多部分フォームを使用してリストバンド２４、ラベル３６、及びカード４０を作成し、それらを患者及び／または患者のカルテまたは試料に取付ける、及び／または添付する。リストバンド２４、ラベル３６、及びカード４０には、病院名及び患者がチェックインした病院科名を印刷することができる。例えば、出産予定の女性は、通常は病院の産科病棟へチェックインしよう。患者には、上述した情報の他に、彼女の名前、血液型、及び患者識別番号を含むことができるリストバンド２４が与えられる。ラベル３６は、病院のスタッフが準備した病院カルテに接着することができる。ラベルには数値またはバーコードの形状で患者の識別番号が含まれているので、患者の近くに、またはナースステーションに所在する医師または看護師はバーコードを走査して病院のコンピュータデータベースから患者の記録を引出すことができる。出産待機中に患者から血液サンプルが採られ、分析される。患者の識別番号（数値及び／またはバーコード形状）を有するラベル３６がサンプルに取付けられているので、研究室技術者はサンプルが患者の記録から取られた、及び／または引出されたのはどの患者かを識別することができるから、研究室技術者はそのサンプルの試験結果に関する付加的なエントリを行うことができる。患者が出産した後は、母親の情報を有するラベル３６またはカード４０を、乳児のために準備された及び／または乳児のカルテに取付けられたリストバンドに取付けることができる。母親の、及び乳児の情報は、赤ん坊が病院によって偶発的に取替えられることなく正しい幼児が実の母親と共に帰宅するように対応付けすることができる。
【００３５】
以上に、本発明のフォーム２０、５０、９０を病院または医療環境に関連して説明したが、他の設備における応用も可能である。例えば、本発明はビジネス環境、リクリエーション環境、または警備環境にも適用可能である。警備環境においては、識別セキュリティと、２またはそれ以上の要素を対応させる必要性とが組合わされる（例えば、航空機の乗客を彼／彼女の手荷物と対応させ、乗客に発行された手荷物識別ラベルを手荷物に取付けた手荷物識別ラベルと比較する）。
【００３６】
上述した本発明の実施の形態は、単なる例示に過ぎず、本発明を限定するものではない。当業者ならば、本発明の広範な面から逸脱することなく種々の変化及び変更が可能であろう。従って、特許請求の範囲は、これらの変化及び変更の全てを本発明の思想及び範囲内に包含することを意図している。
【図面の簡単な説明】
【００３７】
【図１】本発明を実現した多部分フォームの上面図である。
【図２】図１の多部分フォームの２−２矢視断面図である。
【図３】図２の線３によって示されている領域の部分拡大図である。
【図４】図２の線４によって示されている領域の部分拡大図である。
【図５】図１に類似するフォームの上面図であって、リストバンドが多部分フォームから切離されてライナー層を露出させ、ラベルが多部分フォームから部分的に切離されてライナー層を露出させ、そしてカード多部分フォームから部分的に切離されている様を示す。
【図６】図２の６−６矢視断面図であって、ライナー層に設けられているリリースコーティングを示す図である。
【図７】図２の６―６矢視図であって、図１及び５に示す多部分フォームのフェース層の底面図である。
【図８】図５のリストバンドをどのように確保するかを示すための斜視図である。
【図９】本発明の多部分フォームの代替実施の形態の上面図である。
【図１０】図９の多部分フォームの１０−１０矢視断面図である。
【図１１】図１０の線１１によって示されている領域の部分拡大図である。
【図１２】図１０の線１２によって示されている領域の部分拡大図である。
【図１３】図９の多部分フォームの上面図であって、リストバンドが多部分フォームから切離されてライナー層を露出させ、ラベルが多部分フォームから部分的に切離されてライナー層を露出させ、そしてカード多部分フォームから部分的に切離されている様を示す。
【図１４】図１０の１４−１４矢視断面図であって、ライナー層に設けられているリリースコーティングを示す図である。
【図１５】図１０の１５−１５矢視図であって、図９及び１３に示す多部分フォームのフェース層の底面図である。
【図１６】本発明により製造された連続フォームのスタックの斜視図である。
【図１】
2006511378.tif 000003
【図２】
2006511378.tif 000004
【図３】
2006511378.tif 000005
【図４】
2006511378.tif 000006
【図５】
2006511378.tif 000007
【図６】
2006511378.tif 000008
【図７】
2006511378.tif 000009
【図８】
2006511378.tif 000010
【図９】
2006511378.tif 000011
【図１０】
2006511378.tif 000012
【図１１】
2006511378.tif 000013
【図１２】
2006511378.tif 000014
【図１３】
2006511378.tif 000015
【図１４】
2006511378.tif 000016
【図１５】
2006511378.tif 000017
【図１６】
2006511378.tif 000018
【国際調査報告】
2006511378.tif 000019